(57)【要約】【課題】  本発明は仕分けを行う複数の種類の商品が一緒に搬送されてくる仕分け作業において作業効率を改善できる仕分け設備を提供することを目的とする。【解決手段】  作業者が、カート３１から目についた同一の種類の商品２を、カート３１から取り出し、この取り出した商品２のバーコードと数量を入力すると、これらバーコードと数量および商品の仕分けデータに基づいて、入力された商品２の数量に見合った（仕分け先に相当する）間口４と各間口４に仕分ける商品２の数量が求められ、求められた間口４の間口表示器２１にそれぞれ、求められた仕分ける商品２の数量が出力される構成とする。この構成により、作業者は間口表示器２１の指示にしたがって、取り出した数量分の商品２だけを仕分けることができ、よって同一の種類の物品を全て、カート３１から探して取り出し仕分ける必要がなくなり、仕分け効率を改善することができる。【選択図】      図１
2005255344.tif 000002
【特許請求の範囲】
【請求項１】
物品を仕分けする複数の間口と、
仕分け先毎の要求する物品およびその数量からなる仕分け要求情報に応じて、前記仕分け先毎に前記間口を割り当て、割り当てた間口毎に投入する物品とその数量からなる仕分け情報を形成する管理手段と、
前記物品に設けられたこの物品を特定する情報を読み取る読取手段
を備え、
前記読取手段あるいはこの読取手段の近くに、仕分けする物品の数量を入力する数量入力手段を設け、
前記各間口にそれぞれ前記物品の仕分け作業を指示する指示手段を設け、
前記管理手段は、前記読取手段により前記物品を特定する情報が読み取られ、前記数量入力手段により仕分ける物品の数量が入力されると、これら物品を特定する情報と仕分ける物品の数量および前記仕分け情報に基づいて、入力された物品の数量に見合った前記間口と各間口に仕分ける物品の数量を求め、求めた間口の指示手段にそれぞれ、求めた仕分ける物品の数量を出力する機能を備えること
を特徴とする仕分け設備。
【請求項２】
前記管理手段は、入力された物品の数量に見合った前記間口を求めるとき、前記数量入力手段に近い間口から順に求めること
を特徴とする請求項１に記載の仕分け設備。
【請求項３】
前記指示手段毎に、仕分け完了時に操作する操作手段を設け、
前記管理手段は、仕分ける物品の数量を出力した指示手段の前記操作手段が操作される以前に、前記読取手段により次の物品を特定する情報が読み取られると、前記操作がされなかった間口については仕分けを取消し、新たに読み取られた物品を特定する情報に基づいて、次の物品の仕分けを開始すること
を特徴とする請求項１または請求項２に記載の仕分け設備。
【請求項４】
前記管理手段は、前記仕分け要求情報に応じて前記各間口に仕分け先を割り付ける際に、仕分けた物品の搬出に適した位置の間口から順に割り付けること
を特徴とする請求項１〜請求項３のいずれか１項に記載の仕分け設備。
【請求項５】
前記管理手段は、前記入力された物品の数量に見合った前記物品を仕分けする間口と各間口に仕分ける物品の数量を求め、求めた間口の指示手段にそれぞれ前記物品を仕分けする数量を出力する第１の機能の他に、
前記読取手段により前記物品を特定する情報が読み取られる毎に、この物品を特定する情報と前記仕分け情報に基づいて、前記物品を仕分けする間口を求め、求めた間口のうち１つの間口に設けられた指示手段に、前記物品を仕分けする指示を出力する第２の機能と、前記読取手段により前記物品を特定する情報が読み取られる毎に、この物品を特定する情報と前記仕分け情報に基づいて、前記物品を仕分けする間口を求め、前記求めた間口毎にそれぞれ、仕分けする物品の仕分け量を求め、前記求めた間口の指示手段にそれぞれまたは順番に、求めた物品の仕分け量を出力する第３の機能とのいずれか少なくとも一方を有すること
を特徴とする請求項１〜請求項４のいずれか１項に記載の仕分け設備。
【請求項６】
前記管理手段は、前記第１の機能、および前記第２の機能と前記第３の機能とのいずれか少なくとも一方を切り換え自在としたこと
を特徴とする請求項５に記載の仕分け設備。
【請求項７】
前記管理手段は、前記第１の機能または前記第２の機能または第３の機能の実行毎に、前記仕分け情報の更新を行い、前記読取手段により前記物品を特定する情報が読み取られた物品の仕分けに際して、途中で前記第１の機能、および前記第２の機能と前記第３の機能とのいずれか少なくとも一方を切り換えを可能としたこと
を特徴とする請求項５または請求項６に記載の仕分け設備。
【請求項８】
表示画面を有する表示手段を備え、
前記管理手段は、前記読取手段により前記物品を特定する情報が読み取られると、前記表示手段の表示画面の少なくとも一部の色または図柄を変化させ、前記物品の仕分けが終了すると、前記表示手段の表示画面の色または図柄を戻すこと
を特徴とする請求項１〜請求項７のいずれか１項に記載の仕分け設備。
【請求項９】
仕分け状況の再表示を前記管理手段へ入力する再表示入力手段を設け、
前記管理手段は、前記再表示入力手段の入力を確認し、前記読取手段により前記物品を特定する情報が読み取られると、この物品を特定する情報と仕分け開始時の仕分け情報に基づいて、前記物品を仕分けする間口を求め、前記求めた間口毎にそれぞれ、仕分けする物品の仕分け量を求め、前記求めた間口の指示手段に求めた物品の仕分け量を出力する、または求めた間口と物品の仕分け量を表形式の情報として出力すること
を特徴とする請求項１〜請求項８のいずれか１項に記載の仕分け設備。
【請求項１０】
欠品が発生したことを前記管理手段へ入力する欠品入力手段と、情報を印字する印字手段を設け、
前記管理手段は、前記欠品入力手段の入力を確認すると、前記仕分け情報に基づいて仕分けが終了していない物品を欠品と認識し、前記欠品の情報を前記印字手段へ出力し、欠品情報を印字させること
を特徴とする請求項１〜請求項９のいずれか１項に記載の仕分け設備。
【請求項１１】
前記数量入力手段を、表示画面と組み合せるタッチパネルにより形成すること
を特徴とする請求項１〜請求項１０のいずれか１項に記載の仕分け設備。
【発明の詳細な説明】
【技術分野】
【０００１】
本発明は、商品流通業界等で使用される物品の仕分け設備に関するものである。
【背景技術】
【０００２】
スーパーマーケットやコンビニエンス向け商品の配送センター等では、従来より、各店舗からの注文に応じて各種の注文商品を注文個数ずつ取り揃える仕分け作業に、仕分け設備が使用されている。
【０００３】
この仕分け設備は、各店舗毎の集品用コンテナを配置した棚を設け、各店舗からの注文に応じて集品用コンテナへ投入する商品の個数を作業者に指示することにより、各店舗毎に注文商品を取り揃えるようにしている。
【０００４】
このような機能を実現するため、さらに仕分け作業の効率を追求するために、例えば、特許文献１に開示されている仕分け設備では、前記棚の各集品用コンテナの収納部毎にそれぞれ、仕分け指示ランプと消灯スイッチを設けるとともに、棚に単一の仕分け個数表示器を備え、各店舗からの注文に応じて、今回仕分けする商品の仕分け指示ランプを点灯させるとともに、その商品の仕分け個数を仕分け個数表示器に表示させ、かつ次に仕分けする収納部の指示ランプを今回仕分けする商品の指示ランプとは異なるパターンで表示させ、今回の仕分け作業から次回の仕分け作業への移行をスムーズにして無駄の無い作業動線で作業を行えるようにしている。
【特許文献１】特開平６−３２９２１７号公報
【発明の開示】
【発明が解決しようとする課題】
【０００５】
しかし、上記した仕分け設備では、仕分け作業の効率は改善されるが、仕分けを行う複数の種類の商品が一緒にカートなどの搬送車により搬送されてくる仕分け作業の方式では、指定された同一の商品をカートから取り出すのに時間がかかり、仕分けする商品を順に表示させる方式が馴染まないという問題があった。
【０００６】
そこで、本発明は、仕分けを行う複数の種類の商品が一緒に台車等により搬送されてくる仕分け作業において作業効率を改善できる仕分け設備を提供することを目的としたものである。
【課題を解決するための手段】
【０００７】
前述した目的を達成するために、本発明のうち請求項１記載の発明は、物品を仕分けする複数の間口と、仕分け先毎の要求する物品およびその数量からなる仕分け要求情報に応じて、前記仕分け先毎に前記間口を割り当て、割り当てた間口毎に投入する物品とその数量からなる仕分け情報を形成する管理手段と、前記物品に設けられたこの物品を特定する情報を読み取る読取手段を備え、前記読取手段あるいはこの読取手段の近くに、仕分けする物品の数量を入力する数量入力手段を設け、前記各間口にそれぞれ前記物品の仕分け作業を指示する指示手段を設け、前記管理手段は、前記読取手段により前記物品を特定する情報が読み取られ、前記数量入力手段により仕分ける物品の数量が入力されると、これら物品を特定する情報と仕分ける物品の数量および前記仕分け情報に基づいて、入力された物品の数量に見合った前記間口と各間口に仕分ける物品の数量を求め、求めた間口の指示手段にそれぞれ、求めた仕分ける物品の数量を出力する機能を備えることを特徴とするものである。
【０００８】
この構成によれば、まず、仕分け先毎の要求する物品およびその数量からなる仕分け要求情報に応じて仕分け先毎に間口が割り当てられ、続いて割り当てた間口毎に投入する物品とその数量からなる仕分け情報が形成される。そして、実際の仕分け作業が開始され、仕分け作業を行う作業者により、仕分ける物品から読取手段によって物品を特定する情報が読み取られ、数量入力手段により仕分ける物品の数量が入力されると、これら物品を特定する情報と仕分ける物品の数量および前記仕分け情報に基づいて、入力された物品の数量に見合った間口と各間口に仕分ける物品の数量が求められ、この求められた間口の指示手段にそれぞれ仕分け作業情報として求めた仕分ける物品の数量が指示される。作業者は、前記入力した仕分ける物品の数量の物品を、間口の指示手段にしたがって指示される数量を間口に仕分ける。よって、目についた同一の種類の物品を、例えばカートから取り出し、この取り出した物品の分だけ仕分けることができ、同一の種類の物品をカートから探して全て取り出し仕分ける必要がなく、仕分け効率が改善される。
【０００９】
また請求項２に記載の発明は、上記請求項１に記載の発明であって、前記管理手段は、入力された物品の数量に見合った前記間口を求めるとき、前記数量入力手段に近い間口から順に求めることを特徴とするものである。
【００１０】
この構成によれば、数量入力手段に近い間口から仕分ける間口から求められ、求めた間口の指示手段にそれぞれ、求めた仕分ける物品の数量が出力される。よって作業者は、数量入力手段により仕分ける物品の数量を入力した後、この数量入力手段に近い間口から物品の仕分けを行うことができ、作業効率が改善される。
【００１１】
また請求項３に記載の発明は、上記請求項１または請求項２に記載の発明であって、前記指示手段毎に、仕分け完了時に操作する操作手段を設け、前記管理手段は、仕分ける物品の数量を出力した指示手段の前記操作手段が操作される以前に、前記読取手段により次の物品を特定する情報が読み取られると、前記操作がされなかった間口については仕分けを取消し、新たに読み取られた物品を特定する情報に基づいて、次の物品の仕分けを開始することを特徴とするものである。
【００１２】
この構成によれば、作業者が数量入力手段により仕分ける物品の数量を入力したとき、その数量に誤りがあり、仕分ける物品がなくなっても間口の指示手段に仕分ける物品の数量が指示されているとき、作業者は、それを無視して次の仕分ける物品から読取手段によって物品を特定する情報を読み取らせる。すると、仕分けが行われなかった間口については仕分けが取り消され、新たに読み取られた物品を特定する情報に基づいて、次の物品の仕分けが開始される。
【００１３】
また請求項４に記載の発明は、上記請求項１〜請求項３のいずれか１項に記載の発明であって、前記管理手段は、前記仕分け要求情報に応じて前記各間口に仕分け先を割り付ける際に、仕分けた物品の搬出に適した位置の間口から順に割り付けることを特徴とするものである。
【００１４】
この構成によれば、仕分け要求情報に応じて各間口に仕分け先を割り付ける際に、仕分けた物品の搬出に適した位置の間口から順に割り付けられ、よって仕分けた物品の搬出の際の効率が改善される。
【００１５】
また請求項５に記載の発明は、上記請求項１〜請求項４のいずれか１項に記載の発明であって、前記管理手段は、前記入力された物品の数量に見合った前記物品を仕分けする間口と各間口に仕分ける物品の数量を求め、求めた間口の指示手段にそれぞれ前記物品を仕分けする数量を出力する第１の機能の他に、前記読取手段により前記物品を特定する情報が読み取られる毎に、この物品を特定する情報と前記仕分け情報に基づいて、前記物品を仕分けする間口を求め、求めた間口のうち１つの間口に設けられた指示手段に、前記物品を仕分けする指示を出力する第２の機能と、前記読取手段により前記物品を特定する情報が読み取られる毎に、この物品を特定する情報と前記仕分け情報に基づいて、前記物品を仕分けする間口を求め、前記求めた間口毎にそれぞれ、仕分けする物品の仕分け量を求め、前記求めた間口の指示手段にそれぞれまたは順番に、求めた物品の仕分け量を出力する第３の機能とのいずれか少なくとも一方を有することを特徴とするものである。
【００１６】
この構成によれば、第２の機能により、仕分けする物品の物品を特定する情報が読取手段により読み取られると、この物品を仕分けする１つの間口の指示手段に、前記物品の仕分けする指示が出される。作業者はこの間口に物品を仕分けする。このように、１個の物品毎にその物品を特定する情報を読み取らせて仕分けすることにより、間口に仕分けする物品の個数に間違いがなくなり、検品の必要がなくなり、また仕分けする物品を確認する必要が無くなる。また同一の物品を続けて仕分けする必要がなくなり、手近な物品をランダムに手に取って読取手段に読み取らせて仕分けができ、効率を改善できる。
【００１７】
またあるいは第３の機能により、読取手段により物品を特定する情報を読み取られると、この物品を仕分ける全ての間口と仕分ける物品の数量が求められ、求めた各間口の指示手段にそれぞれまたは順番に仕分ける物品の数量が表示される。作業者は、指示手段が表示された間口にその数量の物品を仕分ける。
【００１８】
また請求項６に記載の発明は、上記請求項５に記載の発明であって、前記管理手段は、前記第１の機能、および前記第２の機能と前記第３の機能とのいずれか少なくとも一方を切り換え自在としたことを特徴とするものである。
【００１９】
この構成によれば、第１の機能、および第２の機能と第３の機能とのいずれか少なくとも一方は切り換え自在とされ、よって作業者は作業状況によりこれら機能の一つを選択できる。たとえば、通常は第１の機能により物品の仕分けを行い、個別の検品が必要となると第２の機能により物品の仕分けを行い、同一物品の仕分けが多量に発生すると、第３の機能により物品の仕分けを行う。
【００２０】
また請求項７に記載の発明は、上記請求項１に記載の発明であって、前記管理手段は、前記第１の機能または前記第２の機能または第３の機能の実行毎に、前記仕分け情報の更新を行い、前記読取手段により前記物品を特定する情報が読み取られた物品の仕分けに際して、途中で前記第１の機能、および前記第２の機能と前記第３の機能とのいずれか少なくとも一方を切り換えを可能としたことを特徴とするものである。
【００２１】
この構成によれば、第１の機能、および第２の機能と第３の機能とのいずれか少なくとも一方の実行毎に、仕分け情報の更新が行われ、よって途中で第１の機能、および第２の機能と第３の機能とのいずれか少なくとも一方の切り換えが可能となり、仕分け作業の柔軟性が向上する。
【００２２】
また請求項８に記載の発明は、上記請求項１〜請求項７のいずれか１項に記載の発明であって、表示画面を有する表示手段を備え、前記管理手段は、前記読取手段により前記物品を特定する情報が読み取られると、前記表示手段の表示画面の少なくとも一部の色または図柄を変化させ、前記物品の仕分けが終了すると、前記表示手段の表示画面の色または図柄を戻すことを特徴とするものである。
【００２３】
この構成によれば、読取手段により物品を特定する情報が読み取られると、表示手段の表示画面の少なくとも一部の色または図柄が変化され、物品の仕分けが終了すると、表示手段の表示画面の色または図柄が戻される。このように、表示画面の少なくとも一部の色または図柄が変わることにより、次の物品の物品を特定する情報の読取禁止が報知され、物品を特定する情報を読み取るタイミングが調整される。複数の作業者により作業を行うとき有効である。すなわち、現作業者が物品の仕分けを終了する前に、次の作業者が次に仕分けする物品の物品を特定する情報を読み取らせると、この物品を仕分けする間口の指示手段に仕分けする表示が行われ、仕分けする間口がわからなくなることがある。
【００２４】
また請求項９に記載の発明は、上記請求項１〜請求項８のいずれか１項に記載の発明であって、仕分け状況の再表示を前記管理手段へ入力する再表示入力手段を設け、前記管理手段は、前記再表示入力手段の入力を確認し、前記読取手段により前記物品を特定する情報が読み取られると、この物品を特定する情報と仕分け開始時の仕分け情報に基づいて、前記物品を仕分けする間口を求め、前記求めた間口毎にそれぞれ、仕分けする物品の仕分け量を求め、前記求めた間口の指示手段に求めた物品の仕分け量を出力する、または求めた間口と物品の仕分け量を表形式の情報として出力することを特徴とするものである。
【００２５】
この構成によれば、作業者は、物品を特定する情報を読み取らせても指示手段に仕分け指示が行われないとき、すなわち物品の全仕分けが終了したにもかかわらず、仕分ける物品が残っているとき、再表示入力手段を操作し、読取手段により物品を特定する情報を読み取らせる。すると、読み取られた物品を特定する情報と仕分け開始時の仕分け情報に基づいて、物品を仕分けする間口が求められ、求めた間口毎にそれぞれ、仕分けする物品の仕分け量を求め、求めた間口の指示手段に求めた物品の仕分け量が出力される。または求めた間口と物品の仕分け量を表形式の情報として出力され、例えば表示画面に表示される。作業者は、指示手段が指示した間口の中の物品の仕分け量を確認して、数量が不足している間口を見つけることができ、仕分けミスを無くすことができる。
【００２６】
また請求項１０に記載の発明は、上記請求項１〜請求項９のいずれか１項に記載の発明であって、欠品が発生したことを前記管理手段へ入力する欠品入力手段と、情報を印字する印字手段を設け、前記管理手段は、前記欠品入力手段の入力を確認すると、前記仕分け情報に基づいて仕分けが終了していない物品を欠品と認識し、前記欠品の情報を前記印字手段へ出力し、欠品情報を印字させることを特徴とするものである。
【００２７】
この構成によれば、作業者は、搬送してきた物品の仕分けが終了しているにもかかわらず、指示手段の指示が終了せずに欠品が発生していることが判明すると、欠品入力手段を操作する。すると、仕分け情報に基づいて仕分けが終了していない物品が欠品と認識され、欠品情報が形成され印字手段へ出力され、欠品情報が印字される。この印字された欠品情報により後工程で欠品した物品が補充される。このように、作業者はどの間口にどの物品がどれだけの数量欠品しているかを見出して欠品情報を形成する必要がなくなり、作業が簡易化され、初心者でも簡単に仕分け作業に従事できる。
【００２８】
また請求項１１に記載の発明は、上記請求項１〜請求項１０のいずれか１項に記載の発明であって、前記数量入力手段を、表示画面と組み合せるタッチパネルにより形成することを特徴とするものである。
【００２９】
この構成によれば、タッチパネルの採用により、キーボートやマウスを使用する場合と比較して入力時間を短縮でき、作業効率が改善される。
【発明の効果】
【００３０】
本発明の仕分け設備は、作業者が、目についた同一の種類の物品を、例えばカートから取り出し、この取り出した物品の物品を特定する情報と数量を入力すると、指示手段に入力した数量に見合った指示がなされ、作業者はこの指示にしたがって取り出した物品の分だけ仕分けることができることから、同一の種類の物品を、例えばカートから探して全て取り出し仕分ける必要がなくなり、仕分け効率を改善することができる、という効果を有している。
【発明を実施するための最良の形態】
【００３１】
以下、本発明の実施の形態を図面に基づいて説明する。
図１は、本発明の実施の形態における仕分け設備の斜視図である。
図１において、１は、商品（物品の一例）２を仕分けする集品容器３を収納する複数（図では１２）の間口４を有する仕分け棚であり、仕分け棚１内には中央下部にコンピュータからなるコントローラ（管理手段の一例）６が設けられ、さらに仕分け棚１内には中央部でコントローラ６の上方に、液晶表示パネル（表示手段の一例）７（図２）およびこの液晶表示パネル７の表示画面上に形成されたタッチパネル（再表示入力手段、欠品入力手段の一例）８（図２）からなる液晶表示装置９と、バーコードのスキャナ（読取手段の一例）１０（図２）およびテンキー（エンターキー付き；数量入力手段の一例）１１（図２）を備えたバーコードリーダ１２が設けられている。また仕分け棚１内にはコントローラ６と並んでプリンタ（印字手段の一例）１４が設けられ、プリンタ１４の裏面側に、後述する表示器とのインターフェイスを行う表示用コントローラ１６（図２）が設けられている。
【００３２】
また仕分け棚１は上下３段の棚板５を有し、中段と下段の棚板５上に液晶表示装置９、コントローラ６を挟んでそれぞれ上記間口４が３口ずつ（総数１２）構成され、上段と下段の棚板５の棚板５の正面側に各間口４に対応してそれぞれ間口表示器（指示手段、操作手段の一例）２１が設けられ、また仕分け棚１の上段の棚板５中央付近にトータル数量表示器（総量表示手段の一例）２２と方位表示器２３が設けられている。各間口表示器２１は、３桁のディジタル表示器（指示手段）２４およびランプ（指示手段）付き完了釦スイッチ（操作手段）２５から形成され、前記トータル数量表示器２２は、４桁のディジタル表示器２６および完了ランプ２７から形成されている。また前記方位表示器２３は、液晶表示装置９とコントローラ６を挟んで形成された（間口４が配置された）上下左右のエリアに仕分けがあることを表示する表示器であり、各エリアに対応した上下左右の４組の「３桁のディジタル表示器２８および表示ランプ２９」から形成されている。また上部の３桁のディジタル表示器２８および表示ランプ２９において表示される色を「赤」、下部の３桁のディジタル表示器２８および表示ランプ２９において表示される色を「緑」として上下のエリアの識別を容易にしている。
【００３３】
前記集品容器３は、ダンボールにより構成され、仕分け棚１の上段の棚板５上に、折畳まれた状態で保管され、次回仕分け用の空の集品容器３を補充できるようにされている。
また図１において、３１は、バッチ毎にこの仕分け棚１において仕分けする商品２を搬送してくる台車（カート）であり、また３２は仕分け棚１の右側に配置された出荷用コンベヤ装置であり、仕分けが完了した集品容器３を搬送することに使用される。前記カート３１には、上記間口の総数１２を最大とした店舗毎に、店舗が注文（あるいは要求）した商品２の商品名とその数量から形成される仕分け要求データ（仕分け要求情報の一例）に応じて、予め商品２毎に集品され、集品された商品群が搬送されてくる。またカート３１には、この仕分け要求データを記載した集品リスト（バッチナンバーに相当するバーコードが記載されている）が添付されてくる。
【００３４】
上記構成の仕分け設備の制御構成図を図２に示す。
コントローラ６に、液晶表示装置９の液晶表示パネル７およびタッチパネル８と、バーコードリーダ１２のスキャナ１０およびテンキー１１と、プリンタ１４と、表示器用コントローラ１６が接続され、表示器用コントローラ１６に１２台の間口表示器２１と１台のトータル数量表示器２２と１台の方位表示器２３が接続されている。
【００３５】
また上記液晶表示パネル７に表示される表示画面を、図３〜図５に示す。これら表示画面は、コントローラ６から液晶表示パネル７へ出力される画像表示データにより表示される。
【００３６】
図３に示す初期画面は、コントローラ６の電源をオンにしたときに立ち上がる画面であり、タッチパネル８にて選択される、作業開始画面設定に遷移する「仕分け開始」、問合せメンテサブメニューに遷移する「問合せメンテ」、システム管理画面に遷移する「システム管理」、「ヘルプ」、および「終了」のボタンが表示される。
【００３７】
初期画面において、「仕分け開始」のボタン部がタッチパネル８により選択されると表示される作業者コード入力画面を図４に示す。図４に示すように、テンキー１１により手入力する作業者コードと作業者名の入力フィールドが表示され、タッチパネル８にて選択される、入力フィールドをクリアにして入力待ちとする「クリア」、処理を実行する「ＯＫ」、および該当処理を中断し初期画面へ戻す「キャンセル」のボタンが表示される。
【００３８】
上記作業者コード入力画面において、作業者コードと作業者名が入力され、「ＯＫ」のタッチパネル８により選択されると表示される仕分け設定画面を図５に示す。この仕分け設定画面において、仕分け作業が実行される。図５に示すように、カート３１に添付されてきた、カート３１内の集品リストから、バッチナンバーからなるバーコード（物品毎に集品された物品群を特定する群情報の一例）をバーコードリーダ１２のスキャナ１０により読み取ることによって表示されるバッチ表示部４１と、タッチパネル８により選択される仕分け実行のモードである、指定仕分けモード（第１の機能）と検品モード（個別仕分けモード；第２の機能）と一斉仕分けモード（第３の機能）（詳細は後述する）のいずれかを選択するモード設定部４２と、仕分け指示を表示する仕分け表示部４３が表示され、さらにタッチパネル８にて選択される、再表示を入力する「再表示」、欠品の発生を入力する「欠品」、現在のバッチによる作業を中断して未作業状態に戻す「作業中止」、および該当処理を中断し初期画面へ戻す「戻る」のボタンが表示される。このように「再表示」ボタン（再表示入力手段の一例）と「欠品」ボタン（欠品入力手段の一例）は、タッチパネル８により構成されている。なお、仕分け実行のモードは、指定仕分けモードがデフォルトされている。
【００３９】
上記バッチ表示部４１には、スキャナ１０により読み取られたバッチナンバーと、このバッチナンバーにより検索された、仕分けする店舗数、商品２のアイテム数、および仕分け総量（総仕分け数）（詳細は後述する）とが表示され、また仕分け表示部４３には、商品２に添付されたバーコード（物品を特定する情報の一例）をバーコードリーダ１２のスキャナ１０により読み取ることによって表示されるＪＡＮコードと、このＪＡＮコードにより検索された、商品２のコード、商品２の名称（商品名）、および仕分け数（詳細は後述する）と、各間口４における仕分け量とが表示される。
【００４０】
また上記コントローラ６には、物流を管理する上位コンピュータより、バッチ毎の上記仕分け要求データが予め入力されて記憶され、カート３１内の集品リストから入力されるバッチナンバーにより、このカート３１により搬送されてきた商品２の仕分け要求データが検索される。またコントローラ６には、各商品２のデータ、すなわち商品２に付けられたＪＡＮコードに対応した商品コード、および商品名が予め記憶される。
［仕分け動作］
以下、上記コントローラ６による仕分け動作を、仕分け作業を実行する作業者の動作とともに、図６と図７の説明図、図８〜図１６のフローチャートにしたがって詳細に説明する。なお、図３の初期画面において「仕分け開始」のボタンが選択され、さらに上記作業者コード入力画面において作業者コードと作業者名が入力され、「ＯＫ」のボタンが選択されて図５の仕分け設定画面が表示されているものとする。
「仕分け前準備−１／間口への店舗の割り付け」（図８参照）
作業者は、カート３１によりこの仕分け棚１において仕分けられる商品２を搬送してくると、まずカート３１に添付された集品リストのバッチナンバーのバーコードをバーコードリーダ１２のスキャナ１０により読み取らせる（ステップ−ａ１）。
【００４１】
コントローラ６は、スキャナ１０よりバーコードの読取データ、すなわちバッチナンバーを入力すると（ステップ−ｂ１）、上述したように、このバッチの仕分け要求データを求める（ステップ−ｂ２）。
【００４２】
バッチの仕分け要求データは、図６（ａ）に示すように、バッチナンバーと店舗名（最大１２店舗）と、各店舗毎に仕分ける商品２の商品名および数量から形成されている。
続いてコントローラ６は、仕分け要求データに基づいて、各店舗を、出荷用コンベヤ装置３２に近いほうから、すなわち仕分けた商品２を収納した集品容器２の搬出に適した位置の間口４から順に割り付け（ステップ−ｂ３）、表示器用コントローラ１６を介して、店舗を割り付けた全ての間口４の間口表示器２１のディジタル表示器２４に数字の「１」を表示させ、同時に完了釦スイッチ２５のランプを点灯させる（ステップ−ｂ４）。
【００４３】
図７（ａ）に間口４に付した優先番号を示す。出荷用コンベヤ装置３２に近い右方の上部と下部の間口４に、バーコードリーダ１２に近く作業がしやすい上部の間口から（１）（２）（３）の番号を付し、続いて下部の間口に（４）（５）（６）の番号を付し、また出荷用コンベヤ装置３２に遠い左方の上部と下部の間口４に、バーコードリーダ１２に近く作業がしやすい上部の間口から（７）（８）（９）の番号を付し、続いて下部の間口に（１０）（１１）（１２）の番号を付している。仕分け要求データの店舗の割り付けは、間口４に付した前記優先番号の順に、例えば、６店舗のときには、間口（１）（２）（３）（４）（５）（６）が割り付けられ、９店舗のときには、間口（１）（２）（３）（４）（５）（６）（７）（８）（９）が割り付けられる。また図７（ｂ）には、出荷用コンベヤ装置３２が図７（ａ）の場合とは逆に配置されているときに間口４に付した優先番号を示す。出荷用コンベヤ装置３２に近いほうから優先番号を付している。
【００４４】
作業者は、間口表示器２１のディジタル表示器２４に「１」が表示され、ランプが点灯した各間口４に対してそれぞれ、集品容器３をセットし、間口表示器２１の完了釦スイッチ２５を押し操作する（ステップ−ａ２）。
【００４５】
コントローラ６は、表示器用コントローラ１６を介して、各完了釦スイッチ２５の操作信号を入力する毎に、間口表示器２１の表示を消灯させ、集品容器３のセットを確認する（ステップ−ｂ５）。
「仕分け前準備−２」「仕分け実行モード選択」（図８参照）
コントローラ６は、図６（ｂ）に示すように、店舗を割り付けた間口４毎に仕分ける商品２とその数量からなる仕分けデータ（仕分け情報）を形成して記憶し（ステップ−ｂ６）、さらに仕分けデータより各間口毎の商品２の数量を求めて間口データ（間口毎仕分け量）として記憶し、また各商品２毎の数量を求めて商品データ（商品別仕分け量）として記憶し、さらに全商品２のアイテム数を求めて記憶し、全商品２の数量を求めて仕分け総量として記憶する（ステップ−ｂ７）。
【００４６】
続いてコントローラ６は、上記仕分けデータ、間口データ、および商品データを検索し、仕分け設定画面のバッチ表示部４１に表示させる画像データを求め、すなわち、画像データとしてバッチナンバーと、仕分けする店舗（間口）数、商品２のアイテム数、および仕分け総量を求め、液晶表示パネル７へ出力し、仕分け設定画面のバッチ表示部４１へ表示させ（ステップ−ｂ８）、前記求めた仕分け総量を、表示器用コントローラ１６を介して、このトータル数量表示器２２のディジタル表示器２６に表示させる（ステップ−ｂ９）。
【００４７】
作業者は、仕分け設定画面のバッチ表示部４１にバッチナンバーと、仕分けする店舗（間口）数、商品２のアイテム数、および仕分け総量が表示され、トータル数量表示器２２のディジタル表示器２６に仕分け総量が表示されたことを確認し、今回の仕分け作業の状況について把握すると（ステップ−ａ３）、この把握に基づいて、タッチパネル８により仕分け実行モードを選択する（ステップ−ａ４）。
【００４８】
コントローラ６は、タッチパネル８の操作信号により、仕分け実行モードが、指定仕分けモードか、検品モードか、一斉仕分けモードかどうかを確認する（ステップ−ｂ10）。
「指定仕分けモード」（図９、図１０、図１５、図１６参照）
以下、選択された仕分け実行モードが、指定仕分けモードのときについて説明する。
【００４９】
作業者は、カート３１により搬送されてきた商品２の中から、目に付いた同一の種類の商品２を手に取り（商品の数量は任意）、１つの商品２のバーコードをバーコードリーダ１２のスキャナ１０により読み取らせる（ステップ−ｃ１）。続いて手に取った商品２の数量をテンキー１１により入力する（ステップ−ｃ２）。
【００５０】
コントローラ６は、スキャナ１０よりバーコードの読取データ、すなわちＪＡＮコードを入力すると（ステップ−ｄ１）、このＪＡＮコードに対応する商品コード、および商品名を検索する（ステップ−ｄ２）。続いて、テンキー１１により商品２の数量を入力すると（ステップ−ｄ３）、前記割り付けた、優先順序の高い間口（１）から順に、仕分けデータを検索して、入力した数量に見合った、商品２を仕分ける間口４（その仕分け数を含む）を求める（ステップ−ｄ４）。例えば、商品Ａのバーコードが読み取られ、入力数量が５個のとき、図６（ｂ）に示すように、商品Ａが間口（１）で４個、間口（２）で１個、間口（３）で２個…と仕分けデータが設定されている場合、入力した数量に見合った間口（１）（４個）と間口（２）（１個）が求められる（選択される）。
【００５１】
続いてコントローラ６は、仕分け設定画面の仕分け表示部４３における商品２のデータ（画像データ）として、ＪＡＮコード、商品コード、商品名、および入力した数量と、商品２を仕分ける間口４毎の仕分け数を出力し、仕分け設定画面の仕分け表示部４３へ表示させるとともに、仕分け表示部４３の背景を赤（通常は白）に変更させる（ステップ−ｄ５）。次に、表示器用コントローラ１６を介して、商品２を仕分ける間口４毎の間口表示器２１のディジタル表示器２４に仕分け数を表示させ、同時に完了釦スイッチ２５のランプを点灯させ、続いて求めた間口４のエリアを求め、各エリアで仕分ける商品２の数量を求め、表示器用コントローラ１６を介して、方位表示器23の求めたエリアのディジタル表示器２８に求めた仕分け数量を表示させ、表示ランプ２９を点灯させる（ステップ−ｄ６）。
【００５２】
作業者は、手にしていた商品２を、間口表示器２１のディジタル表示器２４に仕分け数が表示され、ランプが点灯した間口４の集品容器３へ、それぞれ表示された数の商品２を投入し、間口表示器２１の完了釦スイッチ２５を押し操作する（ステップ−ｃ３）。なお、作業者は、ランプが点灯した間口４へ商品２を投入する前に、手持ちの商品２がなくなったとき、つまり数量の入力を誤ったとき、次の商品２のバーコードをバーコードリーダ１２のスキャナ１０により読み取らせ、続いて手に取った商品２の数をテンキー１１により入力する。
【００５３】
コントローラ６は、表示器用コントローラ１６を介して、ランプを点灯させた完了釦スイッチ２５の操作信号を入力すると（ステップ−ｄ７）、次の間口終了動作を実行する（ステップ−ｄ８）。
＊間口終了動作
イ．間口表示器２１の表示を消灯させる。
【００５４】
ロ．仕分け表示部４３において表示した間口の数量を消去する。
ハ．データの更新を実行する。すなわち、仕分けデータにおいて、商品２を投入した間口４の商品２の数量から「仕分け数」を減算し、また間口データにおいて、現間口の仕分け量から「仕分け数」を減算し、さらに商品データにおいて、仕分けした商品２の現数量から「仕分け数」を減算し、仕分け総量から「仕分け数」を減算して記憶する。
【００５５】
ニ．仕分けが行った間口４のエリアにおいて、仕分け数量を更新し、このエリアの間口４の仕分けが終了したかを確認し、仕分けの終了を確認すると、方位表示器23の表示ランプ２９を消灯させ、終了しない場合は、ディジタル表示器２８の仕分け数量の表示を更新する。
【００５６】
ホ．更新した間口データにおいて、仕分けが行った間口４の数量が「０」となったかどうかを確認し、確認すると、表示器用コントローラ１６を介して、この間口４の間口表示器２１のディジタル表示器２４に「Ｅｎｄ」を表示させ、この間口４における仕分けが終了したことを報知する。
【００５７】
続いてコントローラ６は、仕分け総量が「０」となったかどうかを確認し（ステップ−ｂ19）、確認すると、後述する『後処理』を行う。
また仕分け数量が「０」ではないとき、更新した仕分け総量を、表示器用コントローラ１６を介して、このトータル数量表示器２２のディジタル表示器２６に表示させ（ステップ−ｄ10）、ランプを点灯させた完了釦スイッチ２５の全ての操作信号を入力しているかどうか確認し（ステップ−ｄ11）、確認できないとき、ステップ−ｄ７へ戻り、確認するとステップ−ｂ10へ戻り、仕分け実行モードを確認する。
【００５８】
上記ステップ−ｄ７において、完了釦スイッチ２５の操作信号を入力する代りに、コントローラ６は、（仕分けの途中に）スキャナ１０よりバーコードの読取データ、すなわちＪＡＮコードを入力すると（ステップ−ｄ12）、仕分けを中断して、残りの間口４の間口表示器２１の表示を消灯させ（ステップ−ｄ13）、ステップ−ｄ２へ戻る。
【００５９】
作業者は、カート３１に商品２が残っているかを確認し（ステップ−ｃ４）、確認すると、トータル数量表示器２２のディジタル表示器２６に「０」が表示され、完了ランプ２７が点灯していることを確認し（ステップ−ｃ５）、「０」が表示されていないとき、続いて仕分け実行モードを変更するかを確認し（ステップ−ｃ６）、変更しないとき、次の商品２を手に取り、上記ステップ−ｃ１へ戻り、上記ステップ−ｃ２〜ステップ−ｃ５を繰り返す。また、コントローラ６も同様に、上記ステップ−ｄ１〜ステップ−ｄ13を繰り返す。
【００６０】
ステップ−ｃ５において、カート３１に商品２が残っているにもかかわらず、トータル数量表示器２２のディジタル表示器２６に「０」が表示され、完了ランプ２７が点灯していることを確認すると、後述する『再表示処理』を実行する。またステップ−ｃ６において、仕分け実行モードを変更するとき、ステップ−ａ４へ戻る。
【００６１】
また作業者は、ステップ−ｃ４においてカート３１に商品２が残っていないと確認すると、トータル数量表示器２２のディジタル表示器２６に「０」が表示され、完了ランプ２７が点灯していることを確認し（ステップ−ｃ７）、確認すると、全仕分けが正常に終了したと判断して、後述する『後処理』を実行する。またステップ−ｃ７において、カート３１に商品２が残っていないのに、トータル数量表示器２２のディジタル表示器２６に「０」が表示されず、完了ランプ２７が点灯しないとき、後述する『欠品処理』を実行し、ステップ−ｃ７へ戻る。
「後処理」（図１５参照）
コントローラ６は、仕分け総量が「０」となったことを確認すると、後処理を実行する。
【００６２】
すなわち表示器用コントローラ１６を介して、トータル数量表示器２２のディジタル表示器２６に「０」を表示するとともに完了ランプ２７を点灯させ（ステップ−ｎ１）、各間口４毎に、仕分け要求データより仕分けた商品名と仕分け数量からなるデータリストを形成してプリンタ14へ出力して各間口４毎のデータリストを印字させ（ステップ−ｎ２）、終了する。
【００６３】
作業者は、後作業として、各間口４から集品容器３を取り出して、プリンタ14より出力された各間口４のデータリストを投入して出荷用コンベヤ装置３２へ移載し、集品容器３を出荷エリアへ搬送させる（ステップ−ｍ１）。
【００６４】
そして、次のカート３１が搬送されてくると、上記ステップが繰り返し行われる。
「欠品時」（図１５参照）
作業者は、カート３１に商品２が残っていないのに、トータル数量表示器２２のディジタル表示器２６に「０」が表示されず、完了ランプ２７が点灯しないとき、欠品処理を実行する。
【００６５】
すなわち、タッチパネル８の「欠品」ボタンを操作して「欠品」を入力する（ステップ−ｊ１）。
コントローラ６は、商品２のバーコード入力ではなく、この「欠品」信号を入力すると（ステップ−ｋ１）、仕分けデータにおいて、数量が「０」ではない、間口４および商品２の商品名および数量を求めて欠品データを形成し（ステップ−ｋ２）、この欠品データをプリンタ１４へ出力して、プリンタ１４により欠品リストを印字させ（ステップ−ｋ３）、その後、上記『後処理』を実行する。このとき、データリストでは、欠品データが除かれる。
【００６６】
作業者は、欠品リストを見て、間口４を確認し、欠品リストをその間口４の集品容器３へ投入し、その後、上記『後処理』を実行する。
「再表示処理」（図１６参照）
作業者は、カート３１に商品２が残っているにもかかわらず、トータル数量表示器２２のディジタル表示器２６に「０」が表示され、完了ランプ２７が点灯していることを確認すると、すなわち商品２の全仕分けが終了したにもかかわらず、カート３１に仕分ける商品２が残っているとき、再表示処理を実行する。
【００６７】
すなわち作業者はタッチパネル８の「再表示」のボタンを操作し（ステップ−ｐ１）、スキャナ１０により商品２のバーコードを読み取らせる（ステップ−ｐ２）。
コントローラ６は、この再表示の操作信号を入力し（ステップ−ｑ１）、スキャナ１０により読み取られた商品２のバーコードを入力すると（ステップ−ｑ２）、この商品２のバーコードと仕分け開始時の仕分けモードに基づいて、商品２を仕分けする間口４を求め、求めた間口４毎にそれぞれ、仕分けする商品２の仕分け量を求め、求めた間口４毎の間口表示器２１のディジタル表示器２４に仕分け量を表示させ、同時に完了釦スイッチ２５のランプを点灯させる（ステップ−ｑ３）。
【００６８】
作業者は、間口４の間口表示器２１が指示した間口４の商品２の仕分け量をチェックして、数量が不足している間口４をチェックして商品２を投入する（ステップ−ｐ３）。これにより、仕分けミスを無くすことができる。そしてチェックが終了すると、再びタッチパネル８の「再表示」のボタンを操作する（ステップ−ｐ４）。
コントローラ６は、再びこの再表示の操作信号を入力すると（ステップ−ｑ５）、間口表示器２１の表示を消灯する（ステップ−ｑ６）。
【００６９】
上記「指定仕分けモード」の作用により、スキャナ１０により商品２のバーコードが読み取られ、テンキー１１により仕分ける商品２が入力されると、これら商品２のバーコードと数量および仕分けデータに基づいて、入力された商品２の数量に見合った間口４と各間口４に仕分ける商品２の数量を求め、求めた間口４の間口表示器２１にそれぞれ、求めた仕分ける商品２の数量が出力される第１の機能が形成される。作業者は、この指定仕分けモードのとき、カート３１より目に付いた同一種類の商品２を手に取り、スキャナ１０に商品２のバーコードを読み取らせ、手に取った商品２の数量をテンキー１１により入力し、この読取および入力に応答して間口表示器２１の完了釦スイッチ２５のランプが点灯した間口４の集品容器３へ、手に取っている商品２を投入する動作を繰り返すことにより商品２の仕分けを実行する。
「検品モード」（図１１、図１２、図１５、図１６参照）
以下、ステップ−ｂ10において、仕分け実行モードが、検品モードのときについて説明する。
【００７０】
作業者は、カート３１により搬送されてきた商品２の任意の１個を手に取り、この商品２のバーコードをバーコードリーダ１２のスキャナ１０により読み取らせる（ステップ−ｅ１）。
【００７１】
コントローラ６は、スキャナ１０よりバーコードの読取データ、すなわちＪＡＮコードを入力すると（ステップ−ｆ１）、このＪＡＮコードに対応する商品コード、および商品名を検索し（ステップ−ｆ２）、さらに商品名により商品データを検索してこの商品２の数量、すなわち仕分け数を求め（ステップ−ｆ３）、仕分け設定画面の仕分け表示部４３における商品２のデータ（画像データ）として、ＪＡＮコード、商品コード、商品名、および仕分け数を出力し、仕分け設定画面の仕分け表示部４３へ表示させるとともに、仕分け表示部４３の背景を赤（通常は白）に変更させる（ステップ−ｆ４）。次に、商品名により仕分けデータを検索してこの商品２を仕分けする間口４を求め、求めた間口４のうち１つの間口４を選択し（ステップ−ｆ５）、仕分け設定画面の仕分け表示部４３において、選択した間口の数量を「１」として表示させ（ステップ−ｆ６）、さらに表示器用コントローラ１６を介して、この間口４の間口表示器２１のディジタル表示器２４に数字の「１」を表示させ、同時に完了釦スイッチ２５のランプを点灯させ、続いて選択し間口４のエリアを求めて方位表示器23のこのエリアの表示ランプ２９を点灯させる（ステップ−ｆ７）。
【００７２】
作業者は、手にしていた商品２を、間口表示器２１のディジタル表示器２４に「１」が表示され、ランプが点灯した間口４の集品容器３へ投入し、間口表示器２１の完了釦スイッチ２５を押し操作する（ステップ−ｅ２）。
【００７３】
コントローラ６は、表示器用コントローラ１６を介してこの完了釦スイッチ２５の操作信号を入力すると（ステップ−ｆ８）、上記間口終了動作を実行する（ステップ−ｆ９）。ただし、仕分け数は「１」である。
【００７４】
続いて商品データにおいて、仕分け総量が「０」となったかどうかを確認し（ステップ−ｆ10）、確認すると、上記『後処理』を実行する。数量が「０」ではないとき、更新した仕分け総量を、表示器用コントローラ１６を介して、このトータル数量表示器２２のディジタル表示器２６に表示させ（ステップ−ｆ11）、ステップ−ｂ10，ｆ１へ戻り、仕分け実行モードを確認し、次のＪＡＮコードの入力を待つ。
【００７５】
作業者は、カート３１に商品２が残っているかを確認し（ステップ−ｅ３）、確認すると、トータル数量表示器２２のディジタル表示器２６に「０」が表示され、完了ランプ２７が点灯していることを確認し（ステップ−ｅ４）、「０」が表示されていないとき、続いて仕分け実行モードを変更するかを確認し（ステップ−ｅ５）、変更しないとき、次の商品２を手に取り、上記ステップ−ｅ１へ戻り、上記ステップ−ｅ２〜ステップ−ｅ４を繰り返す。また、コントローラ６も同様に、上記ステップ−ｆ１〜ステップ−ｆ11を繰り返す。
【００７６】
ステップ−ｅ４において、カート３１に商品２が残っているにもかかわらず、トータル数量表示器２２のディジタル表示器２６に「０」が表示され、完了ランプ２７が点灯していることを確認すると、上記『再表示処理』を実行する。またステップ−ｅ５において、仕分け実行モードを変更するとき、ステップ−ａ４へ戻る。
【００７７】
また作業者は、ステップ−ｅ３においてカート３１に商品２が残っていないと確認すると、トータル数量表示器２２のディジタル表示器２６に「０」が表示され、完了ランプ２７が点灯していることを確認し（ステップ−ｅ６）、確認すると、全仕分けが正常に終了したと判断して、後述する『後処理』を実行する。またステップ−ｅ６において、カート３１に商品２が残っていないのに、トータル数量表示器２２のディジタル表示器２６に「０」が表示されず、完了ランプ２７が点灯しないとき、上記『欠品処理』を実行し、ステップ−ｅ６へ戻る。
【００７８】
上記「検品モード」の作用により、スキャナ１０により商品２のバーコードが読み取られる毎に、このバーコードデータと前記仕分けデータに基づいて、商品２を仕分けする間口４を求め、求めた間口４のうち１つの間口４に設けられた間口表示器２１に、商品２を仕分けする指示が出力される第２機能が形成される。作業者は、この検品モードのとき、カート３１より１個の商品２を手に取り、スキャナ１０に商品２のバーコードを読み取らせ、この読取に応答して間口表示器２１の完了釦スイッチ２５のランプが点灯した間口４の集品容器３へ、手に取っている商品２を投入する動作を繰り返すことにより商品２の仕分けを実行する。
「一斉仕分けモード」（図１３、図１４、図１５、図１６参照）
上記ステップ−ｂ10において、仕分け実行モードが、一斉仕分けモードのときについて説明する。
【００７９】
作業者は、カート３１により搬送されてきた商品２の任意の１個を手に取り、この商品２のバーコードをバーコードリーダ１２のスキャナ１０により読み取らせる（ステップ−ｇ１）。
【００８０】
コントローラ６は、スキャナ１０よりバーコードの読取データ、すなわちＪＡＮコードを入力すると（ステップ−ｈ１）、このＪＡＮコードに対応する商品コード、および商品名を検索し（ステップ−ｈ２）、さらに商品名により商品データを検索してこの商品２の数量、すなわち仕分け数を求め（ステップ−ｈ３）、仕分け設定画面の仕分け表示部４３における商品２のデータ（画像データ）として、ＪＡＮコード、商品コード、商品名、および仕分け数を出力し、仕分け設定画面の仕分け表示部４３へ表示させる（ステップ−ｈ４）。次に、商品名により仕分けデータを検索してこの商品２を仕分けする全ての間口４と仕分け量を求め（ステップ−ｈ５）、仕分け設定画面の仕分け表示部４３において、求めた全ての間口に、求めた「仕分け量」を表示させ（ステップ−ｈ６）、さらに表示器用コントローラ１６を介して、求めた全ての間口４の間口表示器２１のディジタル表示器２４に「仕分け量」を表示させ、同時に完了釦スイッチ２５のランプを点灯させる（ステップ−ｈ７）。
【００８１】
作業者は、仕分け設定画面の仕分け表示部４３における仕分け数を確認して、手にしていた商品２を含めてこの仕分け数だけ商品２をカート３１より取り出し（ステップ−ｇ２）、続いて完了釦スイッチ２５のランプが点灯した間口４の集品容器３に対して、間口表示器２１のディジタル表示器２４に表示された「仕分け量」の商品２を投入し、間口表示器２１の完了釦スイッチ２５を押し操作する（ステップ−ｇ３）。続いて他の完了釦スイッチ２５のランプが点灯している間口４があるかを確認し（ステップ−ｇ４）、点灯しているランプがあると、ランプが点灯している間口表示器２１の「仕分け量」だけ商品２が残っているかを確認し（ステップ−ｇ５）、確認すると、ステップ−ｇ３へ戻る。
【００８２】
コントローラ６は、表示器用コントローラ１６を介して完了釦スイッチ２５の操作信号を入力すると（ステップ−ｈ８）、上記間口終了動作を実行する（ステップ−ｈ９）。
続いて前記仕分けを行う全ての間口４の間口表示器２１の完了釦スイッチ２５の操作信号が入力したかを確認し（ステップ−ｈ10）、確認できないとき、すなわちスキャナ１０でバーコードを読み取った商品２の仕分けがまだ終了していないとき、ステップ−ｈ８へ戻り、次の操作信号を待つ。
【００８３】
仕分けを行う全ての間口４の完了釦スイッチ２５の操作信号の入力を確認すると、商品データにおいて、仕分け総量が「０」となったかどうかを確認し（ステップ−ｈ11）、確認すると、上記『後処理』を実行する。数量が「０」ではないとき、更新した仕分け総量を、表示器用コントローラ１６を介して、このトータル数量表示器２２のディジタル表示器２６に表示させ（ステップ−ｈ12）、ステップ−ｂ10，ｈ１へ戻り、仕分け実行モードを確認し、次の商品２のバーコードデータの入力を待つ。
【００８４】
また作業者は、ステップ−ｇ５において、ランプが点灯している間口表示器２１の「仕分け量」が不足していると、この間口４の集品容器３には商品２を投入せずに、タッチパネル８の「欠品」ボタンを選択する（ステップ−ｇ６）。
【００８５】
コントローラ６は、ステップ−ｈ８の完了釦スイッチ２５の操作信号に代えて、この「欠品」信号を入力すると（ステップ−ｈ13）、仕分けデータにおいて、仕分け中の商品２の数量が「０」ではない、間口４および商品２の商品名および数量を求めて欠品データを形成し（ステップ−ｈ14）、この欠品データをプリンタ１４へ出力して欠品リストを印字させ（ステップ−ｈ15）、その後、完了釦スイッチ２５の操作信号が入力されていない残りの間口表示器２１を消灯し（ステップ−ｈ16）、ステップ−ｈ11を実行し、残りの仕分け総量を確認する。
【００８６】
作業者は、このプリンタ１４から出力された欠品リストにより間口４を確認し、この欠品リストを間口４の集品容器３へ投入する（ステップ−ｇ７）。
次に作業者は、ステップ−ｇ４において他の完了釦スイッチ２５のランプが全て消灯されると、または「欠品」を選択して他の完了釦スイッチ２５のランプが全て消灯されると、カート３１に商品２が残っているかを確認し（ステップ−ｇ８）、確認すると、トータル数量表示器２２のディジタル表示器２６に「０」が表示され、完了ランプ２７が点灯していることを確認し（ステップ−ｇ９）、「０」が表示されていないとき、続いて仕分け実行モードを変更するかを確認し（ステップ−ｇ10）、変更しないとき、次の商品２を手に取り、上記ステップ−ｇ１へ戻り、上記ステップ−ｇ２〜ステップ−ｇ９を繰り返す。また、コントローラ６も同様に、上記ステップ−ｈ１〜ステップ−ｈ16を繰り返す。
【００８７】
ステップ−ｇ９において、カート３１に商品２が残っているにもかかわらず、トータル数量表示器２２のディジタル表示器２６に「０」が表示され、完了ランプ２７が点灯していることを確認すると、上記『再表示処理』を実行する。またステップ−ｇ10において、仕分け実行モードを変更するとき、ステップ−ａ４へ戻る。
【００８８】
また作業者は、ステップ−ｇ８においてカート３１に商品２が残っていないと確認すると、トータル数量表示器２２のディジタル表示器２６に「０」が表示され、完了ランプ２７が点灯していることを確認し（ステップ−ｇ11）、確認すると、全仕分けが正常に終了したと判断して、後述する『後処理』を実行する。またステップ−ｇ11において、カート３１に商品２が残っていないのに、トータル数量表示器２２のディジタル表示器２６に「０」が表示されず、完了ランプ２７が点灯しないとき、上記『欠品処理』を実行し、ステップ−ｇ11へ戻る。
【００８９】
上記「一斉仕分けモード」の作用により、スキャナ１０により商品２のバーコードが読み取られる毎に、このバーコードデータと前記仕分けデータに基づいて、商品２を仕分けする間口４を求め、求めた間口４毎にそれぞれ、仕分けする商品２の仕分け量を求め、求めた間口４の間口表示器２１にそれぞれ、求めた商品２の仕分け量が出力される第３機能が形成される。作業者は、この一斉仕分けモードのとき、カート３１より１つの商品２を手に取り、スキャナ１０に商品２のバーコードを読み取らせ、この読取に応答して表示された仕分け数の商品２（手に取っている商品２と同じ商品）をカート３１より取り出し、続いて間口表示器２１の完了釦スイッチ２５のランプが点灯した各間口４の集品容器３へ、間口表示器２１に表示された仕分け量の商品２を投入する動作を繰り返すことにより商品２の仕分けを実行する。
「指定仕分けモード」と「検品モード」と「一斉仕分けモード」の切換
上記仕分け設定画面のモード設定部４２において、指定仕分けモードと検品モードと一斉仕分けモードが切り換えられると、各モードにおいてバーコードを読込んだ商品２の仕分けが終了すると上記ステップ−ｂ10へ戻り、ステップ−ｂ10において上記指定仕分けモードと検品モードと一斉仕分けモードが確認されることから、その時点で仕分け実行モードの切り換えが実行される。このように、各モードの途中で別のモードに切り換えられる。
【００９０】
以上のように本実施の形態によれば、指定仕分けモード（第１機能）により仕分けを行うことにより、すなわち実際の仕分け作業が開始され、仕分け作業を行う作業者により、仕分ける商品２からスキャナ１０によって商品２のバーコードが読み取られ、テンキー１１により仕分ける商品２の数量が入力されると、これらバーコードと仕分ける商品２の数量および前記仕分けデータに基づいて、入力された商品２の数量に見合った間口４と各間口４に仕分ける商品２の数量が求められ、この求められた間口４の間口表示器２１にそれぞれ求めた仕分ける商品２の数量が出力され、作業者は、前記入力した仕分ける商品２の数量の商品２を、間口表示器２１にしたがって指示される数量を間口４に仕分けることにより、目についた同一の種類の商品２を、カート３１から取り出し、この取り出した商品２の分を仕分けることができ、同一の種類の商品２をカート３１から探して全て取り出し仕分ける必要がなく、仕分け効率を改善することができる。
【００９１】
また本実施の形態によれば、指定仕分けモードのとき、テンキー１１（バーコードリーダ１２）に近い間口４から仕分ける間口から求められ、求めた間口４の間口表示器２１にそれぞれ、求めた仕分ける商品２の数量が出力されることにより、作業者は、テンキー１１により仕分ける商品２の数量を入力した後、このテンキー１１に近い間口４から商品２の仕分けを行うことができ、作業効率を改善することができる。
【００９２】
また本実施の形態によれば、指定仕分けモードのとき、作業者がテンキー１１により仕分ける商品２の数量を入力したとき、その数量に誤りがあり、仕分ける商品２がなくなっても間口４の間口表示器２１に仕分ける商品２の数量が指示されているとき、作業者は、それを無視して次の仕分ける商品２からスキャナ１１によって商品２のバーコードを読み取らせると、仕分けが行われなかった間口４については仕分けが取り消され、新たに読み取られたバーコードに基づいて、次の物品の仕分けが開始されることにより、手に取った商品２の数量を正確に数えてテンキー１１により入力する必要がなくなり、作業効率を改善することができる。
【００９３】
また本実施の形態によれば、仕分け要求データ応じて各間口４に店舗（仕分け先）を割り付ける際に、集品容器３（仕分けた商品２）の搬出に適した出荷用コンベヤ装置３２に近い位置の間口４から順に割り付けられることにより、仕分けた商品２の搬出の際の効率を改善することができる。
【００９４】
また本実施の形態によれば、検品モード（第２機能）により仕分けを行うことにより、すなわち仕分けする商品２バーコードがスキャナ１０により読み取られると、この商品２を仕分けする１つの間口４の間口表示器２１に、商品２の仕分けする指示が出力され、作業者はこの間口４に商品２を仕分けすることにより（１個の商品２毎にその商品２のバーコードを読み取らせて仕分けすることにより）、間口４に仕分けする商品２の個数に間違いがなくなり、検品の必要がなくなり、また仕分けする物品を確認する必要を無くすことができ、また同一の商品２を続けて仕分けする必要がなくなり、手近な商品２をランダムに手に取ってスキャナ１０に読み取らせて仕分けができ、作業効率を改善することができる。
【００９５】
また一斉仕分けモード（第３機能）により仕分けを行うことにより、すなわちスキャナ１０によりバーコードを読み取られると、この商品２を仕分ける全ての間口４と仕分ける商品２の数量が求められ、求めた各間口４の間口表示器２１にそれぞれ仕分ける商品２の数量が表示され、作業者は間口表示器２１が表示された間口４にその数量の物品を仕分けることにより、１個の商品２のバーコードの読取のみで同一種類の他の商品２のバーコードを読み取らせる必要がなく、またテンキー１１を使用して商品２の数量を入力する必要がなく、カート３１に同一種類の商品２が多量に、あるいは適切に積付られているとき、作業効率を改善することができる。
【００９６】
また本実施の形態によれば、指定仕分けモード（第１の機能）と検品モード（第２の機能）と一斉仕分けモード（第３の機能）が切り換え自在とされ、作業者は作業状況によりこれら機能の一つを選択できることにより、たとえば、通常は指定仕分けモードにより商品２の仕分けを行い、個別の検品が必要となると検品モードにより商品２の仕分けを行い、同一物品の仕分けが多量に発生すると、一斉仕分けモードにより物品の仕分けを行うことにより、仕分け状況により自在にモードを選択でき、仕分け作業の効率を改善することができる。
【００９７】
また本実施の形態によれば、指定仕分けモード（第１の機能）と検品モード（第２の機能）と一斉仕分けモード（第３の機能）の実行毎に、仕分けデータの更新が行われるこにより、途中で指定仕分けモードと検品モードと一斉仕分けモードの切り換えが可能となり、仕分け作業の柔軟性を向上することができる。
【００９８】
また本実施の形態によれば、スキャナ１０により商品２のバーコードが読み取られると、液晶表示パネル７の表示画面の色（少なくとも一部の色または図柄の一例）が変化されることにより、次の商品２のバーコードの読取禁止が報知され、商品２のバーコードを読み取るタイミングを調整でき、複数の作業者により作業を行うとき有効である。すなわち、現作業者が商品２の仕分けを終了する前に、次の作業者が次に仕分けする商品２のバーコードを読み取らせると、この商品２を仕分けする間口４の間口表示器２１に仕分けする表示が行われ、仕分けする間口４がわからなくなることがある。
【００９９】
また本実施の形態によれば、作業者は、トータル数量表示器２２に仕分け数量「０」が表示され、商品２の全仕分けが終了したにもかかわらず、カート３１に仕分ける商品２が残っているとき、タッチパネル８の「再表示」のボタンを操作し、スキャナ１０により商品２のバーコードを読み取らせると、読み取られた商品２のバーコードと仕分け開始時の仕分けデータに基づいて、商品２を仕分けする間口４が求められ、求められた間口４毎にそれぞれ、仕分けする商品２の仕分け量が求められ、求められた間口４の間口表示器２１に求められた商品２の仕分け量が出力されることにより、作業者は、間口４の間口表示器２１が指示した間口４の商品２の仕分け量をチェックして、数量が不足している間口４を見つけることができ、仕分けミスを少なくすることができる。
【０１００】
また本実施の形態によれば、「再表示」ボタン（再表示入力手段の一例）と「欠品」ボタン（欠品入力手段の一例）をタッチパネル８で構成することにより、キーボートやマウスを使用する場合と比較して入力時間を短縮でき、作業効率を改善することができる。
【０１０１】
また本実施の形態によれば、作業者は、商品２の仕分けが終了しているにもかかわらず、間口４の間口表示器２１の指示が終了せずに欠品が発生したとき、またカート３１に商品２が残っていないのに、トータル数量表示器２２に仕分け数量「０」が表示されないとき、タッチパネル８の「欠品」のボタンを操作する。すると、仕分けデータに基づいて仕分けが終了していない商品２を欠品と認識し、欠品データを形成してプリンタ１４へ出力し、欠品データのリストを出力させることにより、この欠品データのリストに基づいて後工程で欠品した商品２が補充される。このように、作業者はどの間口４にどの商品２がどれだけの数量欠品しているかを見出して入力する必要がなくなり、作業が簡易化され、初心者でも簡単に仕分け作業に従事することができる。
【０１０２】
また本実施の形態によれば、トータル数量表示器２２に商品２の残り仕分け総量が表示されることにより、作業者は仕分けする商品２の残り仕分け総量を常に確認できる。
なお、本実施の形態では、指定仕分けモードと検品モードと一斉仕分けモードを備え、これらモードを自在に切り換えることができるようにしているが、指定仕分けモードと検品モード、あるいは指定仕分けモードと一斉仕分けモードを備え、指定仕分けモードと検品モードを切り換え自在、あるいは指定仕分けモードと一斉仕分けモードを切り換え自在とすることができる。
【０１０３】
また本実施の形態では、再表示を、間口４の間口表示器２１により行っているが、再表示のデータとして求めた間口４と商品４の仕分け量を表形式のデータとして液晶表示パネル７へ出力し、液晶表示パネル７に表示するようにすることもできる。
【０１０４】
また本実施の形態では、数量入力手段であるテンキー１１を、読取手段のスキャナ１０とともにバーコードリーダ１２として一体型に構成しているが、必ずしも一体型にする必要はなく、数量入力手段を、テンキーの画像を液晶表示パネル７により表示させ、タッチパネル８により操作できるようにすることで構成することもできる。このように、数量入力手段をタッチパネル８で構成することにより、キーボートやマウスを使用する場合と比較して入力時間を短縮でき、作業効率を改善することができる。
【０１０５】
また本実施の形態では、一斉仕分けモードでは、スキャナ１０に商品２のバーコードを読み取らせると、この商品２の一群を仕分ける間口４が求められ、求められた間口４の間口表示器２１に一斉に表示が行われるが、求めた間口４に順番に表示を行い、バーコードが読み取られた商品２の一群を仕分けるようにすることができる（なお、商品２のバーコードを読み取りは１回である）。すなわち、求めた１つの間口４の間口表示器２１に表示を行わせ、商品２の一群の中から表示された仕分け量の商品２が集品容器３へ投入され完了釦スイッチ２５が操作されると、前記求めた間口４の中から次の間口４の間口表示器２１に表示を行わせることを繰り返すことで、商品２の一群を順番に仕分けするようにすることもできる。
【０１０６】
また本実施の形態では、仕分け要求データは、注文した店舗と、この店舗が要求する（注文した）商品２およびその数量から形成されているが、商品２を仕分ける間口を特定する情報と、この間口が要求する物品およびその数量から形成してもよい。このとき、仕分け要求データによって仕分け作業を実行する間口４が予め設定され、仕分けデータは、仕分け要求データそのままで形成される。
【０１０７】
また本実施の形態では、商品２の仕分け先を店舗としているが、店舗に限ることはなく、個人あるいはグループなどとしてもよい。
また本実施の形態では、液晶表示パネル７の表示画面の仕分け表示部４３の背景を変化させているが、背景に限ることはなく、一部の図柄や文字や数字の色を代えたり、色とともに太さや傾きを変更したりすることもできる。
【０１０８】
また本実施の形態では、一人あるいは二人の作業者による仕分け作業としているが、一人だけでの仕分け作業と限定してもよく、またさらに人数を増やして仕分け作業を行ってもよい。
【０１０９】
また本実施の形態では、仕分け棚１にプリンタ１４を配置し、仕分け終了時に各間口４用のデータリストを発行し、集品容器３へ投入するようにしているが、集品リストに予め各店舗用のデータリストを添付し、仕分けが終了した時点で、店舗と間口４を照合し、各間口４の集品容器３へ投入するようにすることも可能である。
【０１１０】
また本実施の形態では、仕分け棚１として、集品容器３が移動しない一般棚を使用しているが、集品容器３が移動する流動棚を使用することも可能である。
また本実施の形態では、仕分け棚１を上下の間口４が直線状に配置された１台の棚により形成しているが、必ずしも１台の棚である必要はなく、複数台の棚により形成してもよい。また３台の棚を並べるときは、平面にコ字状に配置し、コ字状に囲まれる面の側に間口表示器２１を配置すると、作業効率がよい。
【０１１１】
また本実施の形態では、集品容器３としてダンボールを使用しているが、コンテナやバケットやケースやトレー状のものなどを使用するようにしてもよい。また蓋付きのもの（封函可能なもの）であってもよい。また集品容器３の大きさを同じ大きさとしているが、大小の集品容器３を用意して仕分け作業を行うこともできる。
【０１１２】
また本実施の形態では、指示手段（ディジタル表示器２４および完了釦スイッチ２５のランプ）と操作手段（完了釦スイッチ２５）を一体型の間口表示器２１により形成しているが、これら指示手段と操作手段は別々に設けてもよい。また間口表示器２１のスイッチとして釦スイッチ（完了釦スイッチ２５）を使用しているが、このスイッチ機能をひもを引っ張ることによりオンするスイッチやフットスイッチに代えることもできる。
【０１１３】
また本実施の形態では、カート３１により商品群を搬送してきているが、カート３１に限ることはなく、バッチ毎に商品群を搬送してくる搬送手段、例えば台車やパレット等であればよい。
【０１１４】
また本実施の形態では、商品２に添付される「商品２（物品）を特定する情報」と、集品リストに添付される要求データ（物品毎に集品された物品群を特定する群情報）を、バーコードにより認識しているが、ＩＣカードやＩＣタグのデータで認識するようにしてもよい。このとき、読取手段として、ＩＣリーダやタグリーダを使用する。
【図面の簡単な説明】
【０１１５】
【図１】本発明の実施の形態における仕分け設備の概略構成図である。
【図２】同仕分け設備の制御構成図である。
【図３】同仕分け設備の液晶表示パネルに表示される初期画面図である。
【図４】同仕分け設備の液晶表示パネルに表示される作業者入力画面図である。
【図５】同仕分け設備の液晶表示パネルに表示される仕分け画面図である。
【図６】同仕分け設備のデータの説明図である。
【図７】同仕分け設備の間口の割付の説明図である。
【図８】同仕分け設備のコントローラの準備動作を説明するフローチャートである。
【図９】同仕分け設備の指定仕分け動作を説明するフローチャートである。
【図１０】同仕分け設備の指定仕分け動作を説明するフローチャートである。
【図１１】同仕分け設備の個別仕分け動作を説明するフローチャートである。
【図１２】同仕分け設備の個別仕分け動作を説明するフローチャートである。
【図１３】同仕分け設備の一斉仕分け動作を説明するフローチャートである。
【図１４】同仕分け設備の一斉仕分け動作を説明するフローチャートである。
【図１５】同仕分け設備の欠品処理と後処理の動作を説明するフローチャートである。
【図１６】同仕分け設備の再表示処理の動作を説明するフローチャートである。
【符号の説明】
【０１１６】
１    仕分け棚
２    商品
３    集品容器
４    間口
６    コントローラ
７    液晶表示パネル
８    タッチパネル
９    液晶表示装置
１０  スキャナ
１１  テンキー
１２  バーコードリーダ
１４  プリンタ
２１  間口表示器
２２  トータル数量表示器
２３  方位表示器
２４  間口表示器のディジタル表示器
２５  間口表示器のランプ付き完了釦スイッチ
２６  トータル数量表示器のディジタル表示器
２７  トータル数量表示器の完了ランプ
２８  方位表示器のディジタル表示器
２９  方位表示器の表示ランプ
３１  カート
３２  出荷用コンベヤ装置
４１  バッチ処理部
４２  モード設定部
４３  仕分け表示部
【図１】
2005255344.tif 000003
【図２】
2005255344.tif 000004
【図３】
2005255344.tif 000005
【図４】
2005255344.tif 000006
【図５】
2005255344.tif 000007
【図６】
2005255344.tif 000008
【図７】
2005255344.tif 000009
【図８】
2005255344.tif 000010
【図９】
2005255344.tif 000011
【図１０】
2005255344.tif 000012
【図１１】
2005255344.tif 000013
【図１２】
2005255344.tif 000014
【図１３】
2005255344.tif 000015
【図１４】
2005255344.tif 000016
【図１５】
2005255344.tif 000017
【図１６】
2005255344.tif 000018